(57)【要約】【課題】  小型軽量化や低コスト化を図り、また操作時のクリック感が生成されて操作性の向上を図る。【解決手段】  支持プレート５に設けた操作子嵌挿孔８を囲んで同一円周上に位置しかつ操作子嵌挿孔８に組み合わされた操作子４の外周部に円周方向の各位置において当接する複数個の保持ブラケット部材６を操作子嵌挿孔８と直交する方向に揺動自在に支持するとともに、各保持ブラケット部材６に弾性リング７を掛け合わせて操作子４に対して中心位置への復帰習性を付与する弾性力を作用させるようにする。【選択図】  図３
0003125274.tif 000002
【実用新案登録請求の範囲】
【請求項１】
所定の内径を有する貫通孔からなる操作子嵌挿孔が形成されるとともに、前記操作子嵌挿孔を中心としてその外周部位に同一円周上に位置し互いに所定の間隔を以って複数個のブラケット取付部が形成された支持プレートと、
前記操作子嵌挿孔の孔径よりも大径とされた基部と、この基部の一方主面に前記操作子嵌挿孔の孔径よりも小径の凸部として一体に形成された操作部と、前記基部の他方主面に一体に形成されたスイッチ作動部とから構成され、前記操作部が前記操作子嵌挿孔に貫通されて孔径・外径差の範囲で円周方向に移動自在とされて前記支持プレートに組み合わされる操作子と、
前記支持プレートの前記各ブラケット取付部にそれぞれ前記操作子嵌挿孔と直交する方向に揺動自在に組み合わされ、支点部と、この支点部から一体に突出され先端が前記操作子の前記基部の外周部と円周方向にそれぞれ所定の間隔を以って当接されるレバー部と、このレバー部の外周側に形成される弾性リング保持部とから構成された複数個の保持ブラケット部材と、
前記各保持ブラケット部材の前記弾性リング保持部により構成される円周よりもやや小径とされ、前記各弾性リング保持部間に掛け合わせて組み合わされることにより、前記各レバー部の先端に前記操作子との当接習性を付与する弾性力を作用させる弾性リングとを備え、
前記操作子が、前記弾性リングの弾性力により前記操作子嵌挿孔内において中心位置への復帰習性を付与されるとともに、前記操作部を円周方向に移動操作して前記スイッチ作動部を介して対向配置されたスイッチを動作させて座標信号を出力することを特徴とする座標信号出力装置。
【請求項２】
前記各保持ブラケット部材の前記レバー部が、前記操作子の前記基部の外周部と、前記基部の外径とほぼ等しい外径を有して前記支持プレートの底面側に一体に突出され前記操作子嵌挿孔を構成するスリーブの外周部とに跨って当接することを特徴とする請求項１記載の座標信号出力装置。
【請求項３】
前記弾性リングが、シリコンゴムにより成形されることを特徴とする請求項１記載の座標信号出力装置。
【考案の詳細な説明】
【技術分野】
【０００１】
本考案は、携帯電話機やゲームコントローラ等に用いられ、操作子を円周方向に移動操作した状態で上下方向に押圧操作することにより所定の座標位置で信号出力を行う座標信号出力装置に関する。
【背景技術】
【０００２】
携帯電話機やゲームコントローラ等の電子機器には、キートップを円周方向に移動操作して押圧操作することにより、キートップの移動位置に対応した座標信号が出力される座標信号出力装置が備えられている。電子機器においては、この座標信号出力装置により例えばカーソルを移動させて多数個の機能アイテムを選択するとともに選択した機能アイテムの切り換え操作等が行われるようにする。
【０００３】
例えば特許文献１には、可動電極をスライド移動可能に弾性付勢するＯリングからなる弾性部材を有し、可動電極と対向して複数の電極からなる固定電極を設け、弾性部材の付勢力に抗して可動電極をスライド移動させることにより固定電極と導電性部材からなる上ケースとの間の静電容量を変化させ、この静電容量変化に対応して移動量と移動方向とを検出して座標信号を出力する座標入力装置が開示されている。座標入力装置においては、円周方向に配置した多数本の線バネの弾性力をスライダに作用させることにより、このスライダに中央位置への復帰習性を付与させる。
【０００４】
また、特許文献２には、可動部材のスライド方向とスライド量を検出する検出手段を設けるとともに、可動部材をコイルバネからなる弾性手段により初期位置に自動復帰するように付勢した座標入力装置が開示されている。座標入力装置においては、弾性手段の弾性力に抗して可動部材をスライド操作することにより、スライド方向とスライド量に対応した座標信号が出力されるとともに、可動部材が弾性手段の弾性力により初期位置へと復帰する。
【特許文献１】特開２００３−８４９１６号公報
【特許文献２】特開２００５−６３４０８号公報
【考案の開示】
【考案が解決しようとする課題】
【０００５】
ところで、携帯電話機やゲームコントローラ等の電子機器においては、多機能、高機能化が図られる一方で、小型軽量化も図られる。上述した特許文献１に開示された座標入力装置においては、可動電極を設けた操作子を初期位置へと復帰させるために基端側を筐体に固定した多数本の線バネの自由端側を操作子の外周部に対して円周方向に配列して当接させる。かかる座標入力装置においては、各線バネの取付部を設けた筐体の構造が複雑となるとともに部品点数も多くなることでコストダウンが困難であるといった問題がある。また、座標入力装置においては、操作子に対して安定した弾性力を付与させるために各線バネがある程度の長さを必要とすることで小型化に限界があるとともに、各線バネの弾性力を一定に調整することが困難であることから、初期位置が精密に設定されないといった問題がある。
【０００６】
また、特許文献２に開示された座標入力装置においても、可動部材を初期位置に自動復帰させるコイルバネを張架するために、スペース効率が低下して小型化に限界がある。さらに、特許文献１や特許文献２に開示された座標入力装置においては、操作子を移動操作
させている際の操作感が感じられないことから、操作者に不安感を生じさせ操作性が悪いと行った問題があった。
【０００７】
したがって、本考案は、上述した従来装置の問題点を解決してさらなる小型軽量化や低コスト化を図り、また操作時にクリック感を持たせることにより操作性の向上を図る座標信号出力装置を提供することを目的に提案されたものである。
【課題を解決するための手段】
【０００８】
上述した目的を達成する本考案にかかる座標信号出力装置は、支持プレートと、操作子と、複数個の保持ブラケット部材と、弾性リングとを備える。座標信号出力装置は、支持プレートが、所定の内径を有する貫通孔からなる操作子嵌挿孔が形成されるとともに、この操作子嵌挿孔を中心としてその外周部位に同一円周上に位置し互いに所定の間隔を以って複数個のブラケット取付部が形成される。座標信号出力装置は、操作子が、支持プレートの操作子嵌挿孔の孔径よりも大径とされた基部と、この基部の一方主面に操作子嵌挿孔の孔径よりも小径の凸部として一体に形成された操作部と、基部の他方主面に一体に形成されたスイッチ作動部とから構成される。操作子は、操作部が操作子嵌挿孔に貫通されて孔径・外径差の範囲で円周方向に移動自在とされて支持プレートに組み合わされる。
【０００９】
座標信号出力装置は、保持ブラケット部材が、支点部と、この支点部から一体に突出されて操作子の基部の外周部と円周方向にそれぞれ所定の間隔を以って当接されるレバー部と、このレバー部の外周側に形成される弾性リング保持部とから構成される。保持ブラケット部材は、支点部をブラケット取付部に組み合わせることにより、支持プレートに対して操作子嵌挿孔と直交する方向に揺動自在に組み合わされる。保持ブラケット部材は、レバー部が、操作子の基部の外周部と、基部の外径とほぼ等しい外径を有して支持プレートの第２主面側に一体に突出されて操作子嵌挿孔を構成するスリーブの外周部とに跨って当接するようにして支持プレートに組み合わされる。
【００１０】
座標信号出力装置は、弾性リングが、各保持ブラケット部材の弾性リング保持部により構成される円周よりもやや小径とされ、各弾性リング保持部間に掛け合わせて組み合わされる。弾性リングは、各保持ブラケット部材を中心方向に締め付けるように弾性力を作用させることにより、各レバー部に操作子との当接習性を付与する。弾性リングは、例えばシリコンゴムにより成形される。
【００１１】
座標信号出力装置においては、上述したように弾性リングが弾性リング保持部に掛け合わされて各保持ブラケット部材を中心方向に締め付けるように弾性力を作用させることにより、操作子がその基部の外周部に対して円周方向に互いに等しい間隔を以って配置された各保持ブラケット部材のレバー部により均等に押圧され、支持プレートの操作子嵌挿孔内において中心位置への復帰習性を付与される。座標信号出力装置においては、操作子嵌挿孔内において円周方向に移動操作される操作子が、スイッチ作動部を介して対向配置されたスイッチを動作させて座標信号を出力する。
【考案の効果】
【００１２】
本考案にかかる座標信号出力装置によれば、操作子嵌挿孔を囲んで同一円周上に位置しかつ操作子嵌挿孔に組み合わされた操作子の外周部に円周方向の各位置において当接する複数個の保持ブラケット部材を操作子嵌挿孔と直交する方向に揺動自在に支持するとともに、各保持ブラケット部材に弾性リングを掛け合わせて操作子に対して中心位置への復帰習性を付与する弾性力を作用させるようにする。座標信号出力装置によれば、円周方向の各位置から均等かつ安定した弾性力で押圧される操作子を精密に中心位置に設定して精密な座標信号の出力が行われる。座標信号出力装置によれば、構成各部材が支持プレートの平面領域内に組み合わされことにより、小型化を図ることが可能となる。座標信号出力装
置によれば、操作子の移動に伴って移動方向に配置された保持ブラケット部材が弾性リングの弾性力に抗して揺動することでクリック感が生成され、操作性の向上が図られるようになる。
【考案を実施するための最良の形態】
【００１３】
以下、本考案の実施の形態として示す座標信号出力装置１について、図面を参照して詳細に説明する。座標信号出力装置１は、図１に示すように適宜のスイッチ機構とスイッチ回路等を搭載したスイッチ部２と、スイッチ作動操作部３とから構成される。座標信号出力装置１は、上述した従来座標入力装置と同様に、スイッチ作動操作部３に設けられた操作子４をスライド操作することによりその移動方向と移動量に応じた座標信号を出力するとともに、移動位置において操作子４を押圧操作することにより制御信号を出力するいわゆる多機能スイッチ装置を構成する。
【００１４】
座標信号出力装置１は、上述した機能を有することにより、例えば小型のゲームコントローラに搭載され、操作子４を適宜の方向にスライド操作することにより画面上においてカーソルやキャラクタを移動させるとともに押圧操作することにより機能切換えや所定の制御動作等が行われるようにする。なお、座標信号出力装置１は、上述した座標信号と制御信号を出力する機能に限定されず、スイッチ部２に搭載されるスイッチ機構やスイッチ回路の構成により適宜の信号出力が行われる。座標信号出力装置１は、例えば携帯電話機の機能切換えボタン等にも用いられる。
【００１５】
座標信号出力装置１は、スイッチ作動操作部３が、操作子４と、支持プレート５と、複数個の保持ブラケット部材６と、弾性リング７等の部材から構成され、スイッチ部２とともに図示しないシールド筐体内に収納される。なお、座標信号出力装置１は、スイッチ機構等をスイッチケース内に収納してスイッチ部２を構成し、このスイッチケースの開口部にスイッチ作動操作部３の支持プレート５を組み合わせてシールド筐体を構成するようにしてもよい。
【００１６】
座標信号出力装置１は、円形のシールド筐体のアッパプレートを構成する支持プレート５が金属プレート等の導電性プレート材により全体円板状に形成される。支持プレート５には、図３に示すようにその中央部に位置して所定の孔径Ｒを有する貫通孔からなる操作子嵌挿孔８が形成される。支持プレート５には、例えばバーリング加工等を施すことにより、操作子嵌挿孔８の第２主面８Ｂ側の開口回りに外径Ｄ１のスリーブ９が一体に形成される。
【００１７】
支持プレート５には、操作子嵌挿孔８の外周部位に、この操作子嵌挿孔８を中心とする同一円周上に位置されて８個のブラケット取付部１０Ａ〜１０Ｈが形成される。各ブラケット取付部１０Ａ〜１０Ｈは、円周上に互いに等間隔、すなわち４５°の間隔を以て形成される。なお、ブラケット取付部１０Ａ〜１０Ｈは、全て同一形状であることから、図１及び図２に示すように１個のみを代表して図示するものとし、その他については形成される位置のみを図示する。なお、ブラケット取付部１０Ａ〜１０Ｈについては、以下の説明においてブラケット取付部１０と総称するものとする。
【００１８】
ブラケット取付部１０は、図２及び図３に示すように支持プレート５を貫通して形成され、操作子嵌挿孔８と直交する方向を長軸とした略矩形のガイド孔１１と、このガイド孔１１の長さ方向の相対する側壁に支持プレート５の第１主面５Ａ側に開口するように切り込まれ底面部が円弧状に形成されたピン軸嵌合凹部１２とから構成される。なお、ブラケット取付部１０は、３個以上であればその個数に限定されず、支持プレート５の大きさの制限や機械的強度を損なわない範囲の個数を設けることが好ましい。また、ブラケット取付部１０は、後述するように保持ブラケット部材６を操作子嵌挿孔８に対して直交する方
向に揺動自在に組み合わせればよく、上述した構成に限定されないことは勿論である。
【００１９】
座標信号出力装置１は、操作子４が例えば合成樹脂材により一体に成形され、基部１３と、操作部１４と、スイッチ作動部１５とから構成され、上述した支持プレート５の操作子嵌挿孔８に対して底面側から組み合わされる。操作子４は、基部１３が、図１及び図３に示すように操作子嵌挿孔８の孔径Ｒ１よりも大径でありかつスリーブ９の外径Ｄ１とほぼ同径の円盤状に形成される。操作子４は、操作子嵌挿孔８に組み合わされた状態で、図３に示すように基部１３がスリーブ９の開口縁に突き当てられて上方に対して抜け止めされる。
【００２０】
操作子４には、基部１３の一方主面に操作部１４が一体に立設され、この操作部１４を操作子嵌挿孔８から突出させて支持プレート５に組み合わされる。操作部１４は、操作子嵌挿孔８の軸長よりもやや大きな軸長を有するとともに、外径Ｄ２が操作子嵌挿孔８の内径Ｒよりも小径とされて形成される。したがって、操作部１４は、操作子嵌挿孔８内において、その外径Ｄ２と内径Ｒとの差範囲で円周方向に移動自在とされる。なお、操作部１４は、例えば先端からすり割りを形成し、このすり割りにより機器本体のデザイン等に合わせたキートップ等の部材を組み合わせるようにしてもよいことは勿論である。
【００２１】
操作子４には、基部１３の他方主面にスイッチ作動部１５が一体に突設される。スイッチ作動部１５には、詳細を省略するがスイッチ部２に設けた可動電極が組み合わされ、操作子４がスライド操作されるとこの可動電極を一体的にスライド移動させる。なお、スイッチ作動部１５は、スイッチ部２の構成により適宜の形状に形成される。
【００２２】
座標信号出力装置１は、上述した支持プレート５の各ブラケット取付部１０にそれぞれ保持ブラケット部材６が組み合わされる。座標信号出力装置１は、ブラケット取付部１０の数に応じて８個の保持ブラケット部材６を備えるが、各保持ブラケット部材６が全て同一形状であることから、各図には１個或いは２個を図示してその他については省略して配置される位置のみを鎖線で図示する。保持ブラケット部材６は、図３及び図５に示すように合成樹脂材により一体に成形された支点部１６と、レバー部１７と、弾性リング保持部１８とから構成される。
【００２３】
保持ブラケット部材６は、支点部１６が、上述したブラケット取付部１０のピン軸嵌合凹部１２に嵌合される軸径と軸長を有するピン軸状に形成される。保持ブラケット部材６は、レバー部１７が、長さ方向の一端側に支点部１６をその両端が側方へと突出するようにして一体に形成する。レバー部１７は、ブラケット取付部１０のガイド孔１１の幅よりも小幅とされ、かつ全体が円弧状を呈して形成される。レバー部１７は、後述するように保持ブラケット部材６をブラケット取付部１０に組み付けた状態において、その先端部がスリーブ９の外周面９Ａに当接する長さに形成される。また、レバー部１７は、この状態で先端部がスリーブ９の外周面９Ａと操作子４の基部１３の外周面１３Ａとに跨る大きさに形成され、これらに当接する当接部１７Ａを構成する。
【００２４】
保持ブラケット部材６には、レバー部１７の外側面に、弾性リング保持部１８が枝状に一体に突設される。弾性リング保持部１８は、支点部１６に対して、支持プレート５の第２主面５Ｂとピン軸嵌合凹部１２の底面部との厚みとほぼ等しい間隔位置においてレバー部１７に形成される。弾性リング保持部１８は、後述するように掛け合わされた弾性リング７を保持するが、この弾性リング７をレバー部１７の外側面と支持プレート５の第２主面５Ｂとの間に挟み込むようにして保持する。
【００２５】
保持ブラケット部材６は、それぞれ支持プレート５に対して、その第１主面５Ａ側からレバー部１７をガイド孔１１内に落とし込むようにしてブラケット取付部１０に組み付け
られる。保持ブラケット部材６は、支点部１６がピン軸嵌合凹部１２に相対嵌合することによりブラケット取付部１０に揺動自在に支持され、図３及び図４に示すように第２主面５Ｂ側に貫通したレバー部１７の当接部１７Ａがスリーブ９の外周面９Ａと操作子４の基部１３の外周面１３Ａに跨って接触した状態となる。
【００２６】
保持ブラケット部材６は、支持プレート５の相対するブラケット取付部１０にそれぞれ組み付けられることにより図１において鎖線で示すように各レバー部１７のそれぞれの当接部１７Ａが略同一円周上に位置して、スリーブ９の外周面９Ａと操作子４の基部１３の外周面１３Ａに対して互いに等間隔を以って配置される。保持ブラケット部材６は、後述するように弾性リング保持部１８に弾性リング７が掛け合わされることにより、当接部１７Ａがスリーブ９の外周面９Ａと操作子４の基部１３の外周面１３Ａに跨って当接する当接習性を付与される。
【００２７】
弾性リング７は、弾性材、例えばシリコンゴムにより上述した各ブラケット取付部１０に組み付けられた保持ブラケット部材６の各レバー部１７が構成する円周よりもやや小径のリング状に形成される。弾性リング７は、支持プレート５の第２主面５Ｂ側から、やや押し広げた状態にして各保持ブラケット部材６の弾性リング保持部１８とレバー部１７の外側面との間に掛け合わせることにより組み合わされる。弾性リング７は、保持ブラケット部材６が配置された円周方向の８箇所で、支持プレート５の第２主面５Ｂとレバー部１７の外側面と弾性リング保持部１８とにより挟み込まれるようにして保持される。
【００２８】
弾性リング７は、各保持ブラケット部材６に組み付けられた状態で、各保持ブラケット部材６を中心方向に締め付けるように弾性力を作用させる。弾性リング７は、上述したように各保持ブラケット部材６のレバー部１７の先端面で構成される各当接部１７Ａがスリーブ９の外周面９Ａと操作子４の基部１３の外周面１３Ａに対して円周方向の各位置から均等に押圧させるようにすることにより、操作子４に対して操作子嵌挿孔８内において中心位置への復帰習性を付与する。
【００２９】
座標信号出力装置１においては、スイッチ作動操作部３が、上述したように支持プレート５に対して、その第２主面５Ｂ側から操作子嵌挿孔８に操作部１４を貫通させて操作子４が組み合わされて構成される。座標信号出力装置１においては、支持プレート５に対して、その第１主面５Ａ側からガイド孔１１にレバー部１７を嵌挿して各ブラケット取付部１０に保持ブラケット部材６が組み付けられる。座標信号出力装置１においては、操作子嵌挿孔８に組み合わされた操作子４に対して各保持ブラケット部材１０が円周方向に互いに等しい間隔を以って配置されて、レバー部１７の先端面に構成される当接部１７Ａをスリーブ９の外周面９Ａと操作子４の基部１３の外周面１３Ａに跨って接触させるスイッチ作動操作部３を構成する。
【００３０】
座標信号出力装置１においては、スイッチ作動操作部３が、上述したように各保持ブラケット部材１０の弾性リング保持部１８にやや拡げた状態で弾性リング７が掛け合わされることにより、各保持ブラケット部材がこの弾性リング保持部１８から中心方向に締め付けるように弾性力を作用される。スイッチ作動操作部３においては、各保持ブラケット部材１０の当接部１７Ａがスリーブ９の外周面９Ａと操作子４の基部１３の外周面１３Ａに対して、各位置において均等な弾性力を作用させて当接する。スイッチ作動操作部３においては、これにより、操作子４の操作部１４が操作子嵌挿孔８内において中心位置への復帰習性が付与されて保持される。
【００３１】
座標信号出力装置１においては、スイッチ作動操作部３が、上述したように弾性リング７の弾性力を円周方向において均等に作用させて操作子４を支持プレートに弾持することにより、操作部１４を操作子嵌挿孔８内において中心位置に精度よく位置決めすることが
可能となる。座標信号出力装置１においては、スイッチ作動操作部３が上述した構成各部材を簡易な工程により組み合わせて操作子４の初期位置復帰構造を構成する。簡易化座標信号出力装置１においては、１個の弾性リング７により操作子４の位置決めが行われることから、スイッチ作動操作部３の組立時において調整操作等が不要である。したがって、座標信号出力装置１においては、工程の簡易化によるコスト低減が図られる。座標信号出力装置１においては、スイッチ作動操作部３が、弾性リング７と保持ブラケット部材１０とにより操作子４を初期位置に保持する保持構造を構成するとともに、これら弾性リング７と保持ブラケット部材１０を支持プレート５に対してその平面領域内に組み合わせて構成することから、構造が簡易で小型化が図られる。
【００３２】
座標信号出力装置１においては、スイッチ作動操作部３が、支持プレート５の操作子嵌挿孔８から突出された操作子４の操作部１４を、上述したように操作子嵌挿孔８内においてその外径Ｄ２と内径Ｒとの差範囲で円周方向にスライド自在とする。座標信号出力装置１においては、スイッチ作動操作部３が、操作部１４をスライド操作することにより、そのスライド方向と同方向に基部１３をスリーブ９の端部に沿ってスライド移動させるとともにスイッチ作動部１５もスライド移動してスイッチ部２に設けた可動電極を一体的にスライド移動させる。座標信号出力装置１においては、スイッチ作動操作部３が、これにより操作部１４の移動方向と移動量に応じた座標信号をスイッチ部２から出力させるようにする。また、座標信号出力装置１においては、スイッチ作動操作部３において、操作部１４が押圧操作されることによりスイッチ部２から制御信号が出力されるようにする。
【００３３】
座標信号出力装置１においては、スイッチ作動操作部３において、上述した操作部１４のスライド操作に伴って一体にスライド移動する基部１３が移動方向に配置された所定の保持ブラケット部材６を押圧する。座標信号出力装置１においては、これにより当該保持ブラケット部材６が弾性リング７の弾性力に抗して、支点部１６を支点として統制部１７Ａがスリーブ９の外周部から離間する方向に回動する。座標信号出力装置１においては、弾性リング７が変形して他の保持ブラケット部材６を中心方向に引っ張るように弾性力を作用させるが、これら保持ブラケット部材６がスリーブ９の外周部に当接する当接部１７Ａを介して初期位置に保持される。したがって、座標信号出力装置１においては、スイッチ作動操作部３において、操作子４がぐらつくことなく操作部１４をスライド操作した方向にのみスライド移動することが可能となる。
【００３４】
座標信号出力装置１においては、スイッチ作動操作部３が、弾性リング７において当該保持ブラケット部材６に対して初期位置へと復帰させる弾性力を蓄勢させる。座標信号出力装置１においては、操作部１４に対する操作力が開放されると、操作子４が初期位置へと復帰する。座標信号出力装置１においては、スイッチ作動操作部３において、上述した弾性リング７の弾性力が揺動した保持ブラケット部材６に作用され、操作子４が速やかに初期位置へと復帰して保持される動作が行われる。
【００３５】
座標信号出力装置１においては、例えば操作子４の操作部１４を円周方向に回転させるようにスライド操作した場合に、スイッチ作動操作部３において、操作部１４が円周方向に配置された各保持ブラケット部材６を順次に揺動させる動作が行われる。座標信号出力装置１においては、スイッチ作動操作部３において、各保持ブラケット部材６を揺動させる都度弾性リング７の弾性力が切り替わることにより、クリック感が生成される。したがって、座標信号出力装置１においては、スイッチ作動操作部３において、操作部１４をスライド操作する方向やスライド量が知覚されるようになり、操作性の向上が図られる。
【００３６】
なお、座標信号出力装置１においては、スイッチ部２の構成により、様々な電子機器等に搭載されて様々に利用される座標信号や制御信号を出力することが可能である。本考案は、上述した実施の形態として示した座標信号出力装置１に限定されるものではないこと
は勿論であり、実用新案登録請求の範囲に記載した範囲で構成各部材等が種々の形状に展開される。
【図面の簡単な説明】
【００３７】
【図１】本考案の実施の形態として示す座標信号出力装置の要部分解斜視図である。
【図２】同座標信号出力装置に備えられるスイッチ作動操作部の要部平面図である。
【図３】同スイッチ作動操作部の要部断面図である。
【図４】同スイッチ作動操作部の背面側からの要部斜視図である。
【図５】同スイッチ作動操作部に備えられる保持ブラケット部材の斜視図である。
【符号の説明】
【００３８】
１      座標信号出力装置
２      スイッチ部
３      スイッチ作動操作部
４      操作子
５      支持プレート
６      保持ブラケット部材
７      弾性リング
８      操作子嵌挿孔
９      スリーブ
１０    ブラケット取付部
１１    ガイド孔
１２    ピン軸嵌合凹部
１３    基部
１４    操作部
１５    スイッチ作動部
１６    支点部
１７    レバー部
１８    弾性リング保持部
【図１】
0003125274.tif 000003
【図２】
0003125274.tif 000004
【図３】
0003125274.tif 000005
【図４】
0003125274.tif 000006
【図５】
0003125274.tif 000007